(57)【要約】【課題】作業台の高さ位置を変更可能で、昇降路を下降する乗かごとの干渉を生じることなく昇降路内に収納させることができる昇降路内機器点検用の作業台装置の提供。  【解決手段】本発明は、制御盤２の下方に位置する昇降路１の壁面に取り付けられるベース部３と、このベース部３に上下方向の回動可能に接続され、作業台７が載置される支持梁５と、この支持梁５を、水平に保った位置と、この水平に保った位置から上方に回動させた後の所定の高さ位置とのそれぞれに保持可能な支持梁保持手段と、支持梁５を、上述の水平に保った状態と、所定の高さ位置に保った状態とのそれぞれにあって、支持梁５に載置された作業台７を水平に保持可能な作業台保持手段とを備え、昇降路１内における収納時に、制御盤２の投影面積内に含まれるようにベース部３、支持梁５、支持梁保持手段、及び作業台保持手段のそれぞれの形状寸法を設定した構成にしてある。【選択図】図１
2013018618.tif 000002
【特許請求の範囲】
【請求項１】
エレベータの昇降路の内部に設置される昇降路内機器の点検に際して活用される作業台を有する昇降路内機器点検用の作業台装置において、
上記昇降路内機器の下方に位置する上記昇降路の壁面に取り付けられるベース部と、
このベース部に上下方向の回動可能に接続され、上記作業台が載置される支持梁と、
上記支持梁を、水平に保った位置と、この水平に保った位置から上方に回動させた後の所定の高さ位置とのそれぞれに保持可能な支持梁保持手段と、
上記支持梁を、上記水平に保った状態と、上記所定の高さ位置に保った状態とのそれぞれにあって、上記支持梁に載置された上記作業台を水平に保持可能な作業台保持手段とを備え、
上記昇降路内における収納時に、上記昇降路内機器の投影面積内に含まれるように上記ベース部、上記支持梁、上記支持梁保持手段、及び上記作業台保持手段のそれぞれの形状寸法を設定したことを特徴とする昇降路内機器点検用の作業台装置。
【請求項２】
請求項１に記載の昇降路内機器点検用の作業台装置において、
上記支持梁保持手段は、
一端が上記支持梁に係着され、他端が上記ベース部に係着されて上記支持梁を支持する支持体を含むとともに、
上記支持梁に複数形成され、上記支持体の上記一端がそれぞれ係合可能な支持梁側係合部と、上記ベース部に複数形成され、上記支持体の上記他端がそれぞれ係合するベース部側係合部のうちの少なくとも一方を含むことを特徴とする昇降路内機器点検用の作業台装置。
【請求項３】
請求項２に記載の昇降路内機器点検用の作業台装置において、
上記支持体は、上記一端に第１丸棒を、上記他端に第２丸棒をそれぞれ備え、
上記支持梁側係合部は、上記支持梁が水平に保たれている状態にあって水平方向に延設する長穴に形成され、上記支持体の上記第１丸棒がそれぞれ係合可能な複数の係合端部から成り、
上記ベース部側係合部は、高さ位置を異ならせるように形成され、上記昇降路の上記壁面とは反対側に位置する部分が開放され、上記支持体の上記第２丸棒がそれぞれ挿入可能な複数の切り欠き部から成ることを特徴とする昇降路内機器点検用の作業台装置。
【請求項４】
請求項３に記載の昇降路内機器点検用の作業台装置において、
上記作業台保持手段は、
上記支持梁を上記ベース部に回動自在に連結する支点軸と、
上記支点軸の上方位置の上記ベース部部分に設けられ、上記作業台の上記ベース部側に位置する端部が係止される係止棒とを含むことを特徴とする昇降路内機器点検用の作業台装置。
【請求項５】
請求項４に記載の昇降路内機器点検用の作業台装置において、
上記作業台保持手段は、
上記支持梁に形成され、上記支持梁が水平状態に保たれているときに、上記作業台の底面が当接する面部と、
上記面部に対して傾斜するように上記支持梁に設けられ、上記支持梁が上記所定の高さ位置に保たれているときに、上記作業台の底面が当接する別の面部とを含むことを特徴とする昇降路内機器点検用の作業台装置。
【発明の詳細な説明】
【技術分野】
【０００１】
本発明は、エレベータの昇降路内機器の点検に際して活用される作業台を有する昇降路内機器点検用の作業台装置に関する。
【背景技術】
【０００２】
エレベータの昇降路内に配置され、ピット床から手の届かない位置に設けられる機器を点検する際には、点検作業者の足場確保のために活用される作業台が必要となる。昨今、エレベータの大容量化、高速化に伴い、巻上機等の昇降路内機器の形状が大きくなりがちであり、また、昇降路の省スペース化が要望されてきている。これに応じて、複数の昇降路内機器のそれぞれを高さ方向に沿って配置するようになってきている。このようなことから、昇降路内に設置される作業台の高さ位置を変更して、点検作業を行うことも必要になる。
【０００３】
ところで、上述したような作業台の高さ位置を変更できる装置が、特許文献１に開示されている。この特許文献１に開示された従来技術は、ピット床上に延設される昇降はしご固定腕と、この昇降はしご固定腕の一端から立設され、昇降路の高さ方向に延設させた昇降はしご固定支柱と、下端が昇降はしご固定腕の他端に接続され、上端が昇降はしご固定支柱に接続される昇降はしごと、この昇降はしごに着脱可能に、しかも高さ位置を変えて取り付けることが可能な作業床、すなわち作業台を備えた構成になっている。
【先行技術文献】
【特許文献】
【０００４】
【特許文献１】特開２００４−１８２３５１号公報
【発明の概要】
【発明が解決しようとする課題】
【０００５】
上述した従来技術は、乗かごの下降時に乗かごと干渉する大きな形状となることから、昇降路内機器の点検作業が終了した際などにあっては、解体し、昇降路内から撤去する煩雑な作業が必要になる。これに伴って、点検作業工数が増加し、点検作業に要する費用が高くなる問題がある。
【０００６】
本発明は、上述した従来技術における実状からなされたもので、その目的は、作業台の高さ位置を変更可能であるとともに、昇降路を下降する乗かごとの干渉を生じることなく昇降路内に収納させることができる昇降路内機器点検用の作業台装置を提供することにある。
【課題を解決するための手段】
【０００７】
上記目的を達成するために、本発明に係る昇降路内機器点検用の作業台装置は、エレベータの昇降路の内部に設置される昇降路内機器の点検に際して活用される作業台を有する昇降路内機器点検用の作業台装置において、上記昇降路内機器の下方に位置する上記昇降路の壁面に取り付けられるベース部と、このベース部に上下方向の回動可能に接続され、上記作業台が載置される支持梁と、上記支持梁を、水平に保った位置と、この水平に保った位置から上方に回動させた後の所定の高さ位置とのそれぞれに保持可能な支持梁保持手段と、上記支持梁を、上記水平に保った状態と、上記所定の高さ位置に保った状態とのそれぞれにあって、上記支持梁に載置された上記作業台を水平に保持可能な作業台保持手段とを備え、上記昇降路内における収納時に、上記昇降路内機器の投影面積内に含まれるように上記ベース部、上記支持梁、上記支持梁保持手段、及び上記作業台保持手段のそれぞれの形状寸法を設定したことを特徴としている。
【０００８】
このように構成した本発明は、エレベータの昇降路内機器の点検作業時には、例えば、ベース部に接続されている支持梁に作業台を当接させた状態に保ちながら支持梁を上方向に回動させ、支持梁保持手段によって、この支持梁を水平に保つようにする。また、作業台保持手段によって、支持梁に載置された作業台を水平に保つようにする。この状態で、点検作業者が作業台に乗り込むことにより、昇降路内機器の手の届く範囲における点検作業を行うことができる。
【０００９】
このような状態からさらに、それまで手の届かなかった上方に位置する昇降路内機器の点検作業を行う場合には、点検作業者は一旦作業台から降り、支持梁及び作業台を、上述の水平に保っている状態から上方向に回動させ、支持梁保持手段によって所定の高さ位置に保持させる。また、このように支持梁が所定の高さ位置に保持されている状態にあって、作業台保持手段によって作業台を水平に保つ。これにより本発明は、作業台の高さ位置をそれまでよりも高くすることができる。したがって、この状態で作業台に点検作業者が乗り込むことにより、それまで手の届かなかった昇降路内機器の点検作業を行うことができる。
【００１０】
例えば、上述した昇降路内機器の点検作業が終了した際などには、本発明は、支持梁を下方に回動させてベース部とともに、昇降路内機器の下方に位置させる。また、これらとともに例えば、支持梁保持手段及び作業台保持手段を昇降路機器の下方に位置させる。また、支持梁上に載置されていた作業台を支持梁から取り外して、例えば作業台の底面が昇降路のピット床に当接するようにこのピット床に載置する。このようにして本発明は、ベース部、支持梁、支持梁保持手段、及び作業台保持手段を、昇降路内機器の投影面積内に収納させることができる。
【００１１】
すなわち本発明は、作業梁の回動動作と、支持梁保持手段及び作業台保持手段とによって、作業台の高さ位置を変更可能であるとともに、収納時にはベース部、支持梁、支持梁保持手段、及び作業台保持手段を昇降路内機器の投影面積内に配置でき、乗かごの下降時にこの乗かごと干渉を生じることなく昇降路内に収納させることができる。したがって、昇降路内から本発明に係る作業台装置を撤去する煩雑な作業が不要となる。
【００１２】
また本発明は、上記発明において、上記支持梁保持手段は、一端が上記支持梁に係着され、他端が上記ベース部に係着されて上記支持梁を支持する支持体を含むとともに、上記支持梁に複数形成され、上記支持体の上記一端がそれぞれ係合可能な支持梁側係合部と、上記ベース部に複数形成され、上記支持体の上記他端がそれぞれ係合するベース部側係合部のうちの少なくとも一方を含むことを特徴としている。
【００１３】
また本発明は、上記発明において、上記支持体は、上記一端に第１丸棒を、上記他端に第２丸棒をそれぞれ備え、上記支持梁側係合部は、上記支持梁が水平に保たれている状態にあって水平方向に延設する長穴に形成され、上記支持体の上記第１丸棒がそれぞれ係合可能な複数の係合端部から成り、上記ベース部側係合部は、高さ位置を異ならせるように形成され、上記昇降路の上記壁面とは反対側に位置する部分が開放され、上記支持体の上記第２丸棒がそれぞれ挿入可能な複数の切り欠き部から成ることを特徴としている。
【００１４】
また本発明は、上記発明において、上記作業台保持手段は、上記支持梁を上記ベース部に回動自在に連結する支点軸と、上記支点軸の上方位置の上記ベース部部分に設けられ、上記作業台の上記ベース部側に位置する端部が係止される係止棒とを含むことを特徴としている。
【００１５】
また本発明は、上記発明において、上記作業台保持手段は、上記支持梁に形成され、上記支持梁が水平状態に保たれているときに、上記作業台の底面が当接する面部と、上記面部に対して傾斜するように上記支持梁に設けられ、上記支持梁が上記所定の高さ位置に保たれているときに、上記作業台の底面が当接する別の面部とを含むことを特徴としている。
【発明の効果】
【００１６】
本発明は、エレベータに備えられる昇降路内機器の下方に位置する昇降路の壁面に取り付けられるベース部と、このベース部に上下方向の回動可能に接続され、作業台が載置される支持梁と、支持梁を、水平に保った位置と、この水平に保った位置から上方に回動させた後の所定の高さ位置とのそれぞれに保持可能な支持梁保持手段と、支持梁を、水平に保った状態と、所定の高さ位置に保った状態とのそれぞれにあって、支持梁に載置された作業台を水平に保持可能な作業台保持手段とを備え、昇降路内における収納時に、昇降路内機器の投影面積内に含まれるようにベース部、支持梁、支持梁保持手段、及び作業台保持手段のそれぞれの形状寸法を設定した構成にしてある。この構成に伴って本発明は、作業台の高さ位置を変更可能であるとともに、昇降路を下降する乗かごとの干渉を生じることなく昇降路内に収納させることができる。これにより本発明は、従来技術におけるような昇降路内から撤去する煩雑な作業が不要となり、従来に比べて点検作業工数を少なくし、点検作業に要する費用を低減させることができる。
【図面の簡単な説明】
【００１７】
【図１】本発明に係る昇降路内機器点検用の作業台装置の第１実施形態を示す斜視図である。
【図２】第１実施形態に備えられる支持梁を示す斜視図である。
【図３】第１実施形態に備えられる作業台を示す斜視図である。
【図４】第１実施形態に備えられる作業台の高さ位置を図１に示すものよりも高く保った状態を示す斜視図である。
【図５】第１実施形態に備えられる作業台の高さ位置を図４に示すものよりも高く保った状態を示す斜視図である。
【図６】第１実施形態の収納時の状態を示す斜視図である。
【図７】図６の側面図である。
【図８】本発明の第２実施形態を示す側面図である。
【図９】本発明の第２実施形態に備えられる作業台の高さ位置を図８に示すものよりも高く保った状態を示す側面図である。
【発明を実施するための形態】
【００１８】
以下、本発明に係る昇降路内機器点検用の作業台装置の実施の形態を図に基づいて説明する。
【００１９】
図１は本発明に係る昇降路内機器点検用の作業台装置の第１実施形態を示す斜視図、図２は第１実施形態に備えられる支持梁を示す斜視図、図３は第１実施形態に備えられる作業台を示す斜視図である。
【００２０】
第１実施形態に係る昇降路内機器点検用の作業台装置は、例えば作業台７の高さ位置を３段階に変更可能となっている。この第１実施形態は、図１に示すように、エレベータの昇降路１の内部に設置される昇降路内機器、例えば制御盤２の下方に位置する昇降路１の壁面に取り付けられ、枠体から成るベース部３と、このベース部３に支点軸４を介して上下方向の回動可能に接続され、作業台７が載置される例えば枠体から成る支持梁５とを備えている。図２に示すように、支持梁５のベース部３側に位置する両側面の端部には、支点軸４が挿入される軸穴５０を形成してある。
【００２１】
また、この第１実施形態は、支持梁５を、水平に保った位置と、この水平に保った位置から上方に回動させた後の所定の高さ位置のそれぞれに保持可能な、すなわち、支持梁５を水平に保った第１の高さ位置と、この第１の高さ位置よりも高い第２の高さ位置と、この第２の高さ位置よりもさらに高い第３の高さ位置の３段階に保持可能な支持梁保持手段を備えている。
【００２２】
また、この第１実施形態は、支持梁５を、水平に保った状態と、上述の所定の高さ位置に保った状態とのそれぞれにあって、すなわち支持梁５を水平に保った第１の高さ位置と、この第１の高さ位置よりも高い第２の高さ位置と、この第２の高さ位置よりもさらに高い第３の高さ位置のそれぞれにあって、支持梁５に載置された作業台７を水平に保持可能な作業台保持手段を備えている。
【００２３】
上述した支持梁保持手段は、一端が支持梁５に係着され、他端がベース部３に係着されて支持梁５を支持する支持体６を含むとともに、支持梁５に複数形成され、支持体６の上述した一端がそれぞれ係合可能な支持梁係合部と、ベース部３に複数形成され、支持体６の上述した他端がそれぞれ係合するベース側係合部のうちの少なくとも一方を含んでいる。例えば、この第１実施形態にあっては、支持梁係合部のみを含んでいる。
【００２４】
上述した支持体６は、支持梁５側に位置する上述の一端に第１丸棒６１を有し、ベース部３側に位置する上述の他端に第２丸棒６２を有する枠体から成っている。また、上述した支持梁係合部は、支持梁５の両側面のそれぞれに形成され、図２に示すように、支持梁５が水平に保たれている状態にあって水平方向に延設する長穴５３に設けられ、支持体６の第１丸棒６１がそれぞれ係合可能な複数の係合端部、例えば第１係合端部５３ａと、第２係合端部５３ｂと、第３係合端部５３ｃとから成っている。
【００２５】
上述した作業台保持手段は、支持梁５をベース部３に回動自在に連結する支点軸４と、この支点軸４の上方位置のベース部３部分に設けられ、作業台７のベース部３側に位置する端部に形成した図３に示すフック部７１が係止される係止棒、例えば支点軸４の直上に設けた第１係止棒８ｂと、この第１係止棒８ｂの直上に設けた第２係止棒８ｃとを含んでいる。なお、ベース部３の下端付近には、支持体６の第２丸棒６２を係脱可能な切り欠き部３１を形成してある。
【００２６】
また、作業台保持手段は、図２に示すように、支持梁５に形成され、支持梁５が水平に保たれているときに、作業台７の底面が当接する第１面部５１ａと、この第１面部５１ａに対して傾斜するように支持梁５に設けられ、支持梁５が所定の高さ位置に保たれているときに、作業台７の底面が当接する別の面部とを含んでいる。この別の面部は、例えば、支持梁５のベース部３の端部とは反対側の端部に、第１面部５１ａに対して傾斜するように設けられ、支持梁５が上述の第２の高さ位置に保たれているときに、作業台７の底面が当接する第２面部５１ｂと、この第２面部５１ｂに対して傾斜するようにこの第２面部５１ｂに連設され、支持梁５が上述の第３の高さ位置に保たれているときに、作業台７の底面に当接する第３面部５１ｃとから成っている。
【００２７】
支持梁５の第１面部５１ａにおいて、ベース部３側の端部とは反対側の端部付近に、複数の第１ボルト穴５２ａを形成してある。第２面部５１ｂには複数の第２ボルト穴５２ｂを形成してあり、第３面部５１ｃには複数の第３ボルト穴５２ｃを形成してある。また、支持梁５のベース部３側の端部には、上述した作業台７のフック部７１との干渉を避ける切り欠き部５４を形成してある。
【００２８】
点検作業者の乗り込みが可能な作業台７のフック部７１が設けられた端部とは反対側の端部付近には、図３に示すように、支持梁５の第１ボルト穴５２ａに適合するように形成された複数のボルト穴７２ａと、支持梁５の第２ボルト穴５２ｂ及び第３ボルト穴５２ｃの双方に適合するように形成された複数のボルト穴７２ｂｃとを形成してある。
【００２９】
上述のように構成される第１実施形態に係る昇降路内機器点検用の作業台装置にあっては、昇降路１の壁面に設置された昇降路内機器、例えば制御盤２の点検作業を行うに際して、例えば支持梁５が支点軸４を介してベース部３に吊り下げられている状態において、作業台７のフック部７１を支持軸４に係止させるようにして、支持梁５の第１面部５１ａに作業台７の底面を当接させる。ここで、作業台７のボルト穴７２ａのそれぞれを支持梁５の第１ボルト穴５２ａのそれぞれに適合させ、図示しないボルトのそれぞれを、ボルト穴７２ａ及び第１ボルト穴５２ａに挿入して、支持梁５に作業台７を固定する。
【００３０】
この状態でベース部３に接続されている支持梁５を上方向に回動させ、第２丸棒６２をベース部３の切り欠き部３１の下端部に係止させた支持体６の第１丸棒６１を、支持梁５のそれぞれの長穴５３の第１係合端部５３ａに係合させ、支持梁５を水平に保つようにする。これにより作業台７も水平に保たれる。この状態で、点検作業者が作業台７に乗り込むことにより、例えば制御盤２内の手に届く範囲における機器の点検作業を行うことができる。なお、作業台７に対する乗り降りに際しては、例えば折りたたみ式の脚立等が活用される。すなわち、折りたたみ式の脚立等を昇降路１のピット床に載置し、この脚立等を介して作業台７に対する乗り降りが行われる。
【００３１】
図４は第１実施形態に備えられる作業台の高さ位置を図１に示すものよりも高く保った状態を示す斜視図、図５は第１実施形態に備えられる作業台の高さ位置を図４に示すものよりも高く保った状態を示す斜視図である。
【００３２】
上述した状態から、それまで手の届かなかった上方に位置する昇降路内機器、例えば制御盤２内の機器の点検作業を行う場合には、点検作業者は一旦作業台７から降り、支持梁５の第１係合端部５３ａと支持体６の第１丸棒６１との係合を解き、第２丸棒６２をベース部３の切り欠き３１から取り外し、第１丸棒６１を介して支持体６を支持梁５から吊り下げるとともに、支点軸４を介して支持梁５及び作業台７をベース部３に吊り下げる。ここで、作業台７の底面を支持梁５に固定していた図示しないボルトを抜き取り、作業台７のフック部７１をベース部３の支点軸４の直上に位置する第１係止棒８ｂに係止させる。また、作業台７を支持梁５の第２面部５１ｂに当接させ、作業台７のボルト穴７２ｂｃのそれぞれを支持梁５の第２ボルト穴５２ｂのそれぞれに適合させ、図示しないボルトのそれぞれをボルト穴７２ｂｃ及び第２ボルト穴５２ｂに挿入して支持梁５に作業台７を固定する。
【００３３】
この状態でベース部３に接続されている支持梁５を水平位置よりも上方に回動させ、第２丸棒６２をベース部３の切り欠き部３１の下端部に係止させた支持体６の第１丸棒６１を、支持梁５のそれぞれの長穴５３の第２係合端部５３ｂに係合させる。これにより、支持梁５及び作業台７の高さ位置を上述の位置よりも高くすることができる。また、作業台７を水平状態に保つことができる。したがって、この状態で、点検作業者が作業台７に乗り込むことにより、例えば制御盤２内のより高い位置にある手の届く範囲における機器の点検作業を行うことができる。
【００３４】
また上述した状態からさらに、それまで手の届かなかった上方に位置する昇降路内機器、例えば制御盤２内に位置する機器の点検作業を行う場合には、点検作業者は一旦作業台７から降り、支持梁５の第２係合端部５３ｂと支持体６の第１丸棒６１との係合を解き、第２丸棒６２をベース部３の切り欠き部３１から取り外し、第１丸棒６１を介して支持体６を支持梁５から吊り下げるとともに、支点軸４を介して支持梁５及び作業台７をベース部３に吊り下げる。ここで作業台７を支持梁５に固定していた図示しないボルトを抜き取り、作業台７のフック部７１をベース部３の第１係止棒８ｂの直上に位置する第２係止棒８ｃに係止させる。また、作業台７の底面を支持梁５の第３面部５１ｃに当接させ、作業台７のボルト穴７２ｂｃのそれぞれを支持梁５の第３ボルト穴５２ｃのそれぞれに適合させ、図示しないボルトのそれぞれをボルト穴７２ｂｃ及び第３ボルト穴５２ｃに挿入して支持梁５に作業台７を固定する。
【００３５】
この状態で、ベース部３に接続されている支持梁５を上述した高さ位置よりもさらに上方に回動させて、第２丸棒６２をベース部３の切り欠き部３１の下端部に係止させた支持体６の第１丸棒６１を、支持梁５のそれぞれの長穴５３の第３係合端部５３ｃに係合させる。これにより、支持梁５及び作業台７が図５に示すようにさらに高い位置に保たれる。したがって、この状態で、点検作業者が作業台７に乗り込むことにより、例えば制御盤２内のさらに高い位置にある機器の点検作業を行うことができる。
【００３６】
図６は第１実施形態の収納時の状態を示す斜視図、図７は図６の側面図である。
【００３７】
上述のようにして、昇降路内機器例えば制御盤２の点検作業が終了した際などには、点検作業者は作業台７から降り、支持梁５の第３係合端部５３ｃと支持体６の第１丸棒６１との係合を解き、第２丸棒６２をベース部３の切り欠き部３１から取り外し、図６，７に示すように、第１丸棒６１を介して支持体６を支持梁５から吊り下げるとともに、支点軸４を介して支持梁５及び作業台７をベース部３に吊り下げる。ここで、作業台７を支持梁５に固定していた図示しないボルトを抜き取り、作業台７を例えば昇降路１のピット床に載置する。また例えば、図示しない作業台７に対する乗り降りに活用される脚立等をピット床に載置し、あるいは昇降路１の壁面に立て掛ける。このようにして、この第１実施形態に備えられるベース部３、支持梁５、及び支持体６を、制御盤２の投影面積内に収納させることができる。
【００３８】
上述したように、この第１実施形態は、支持梁５の回動動作と、支持体６とによって、作業台７の高さ位置を、水平位置である支持梁５の第１の高さ位置に相応する高さ位置、作業梁５の第２の高さ位置に相応する高さ位置、及び支持梁５の第３の高さ位置に相応する高さ位置のそれぞれに変更可能であるとともに、収納時には、ベース部３、支持梁５、及び支持体６を制御盤２の投影面積内に配置でき、図７に示すように、乗かご９の下降時にこの乗かご９と干渉を生じることなく昇降路１内に収納させることができる。したがって、昇降路１内からこの第１実施形態に係る作業台装置を撤去する煩雑な作業が不要となる。これにより、点検作業工数を少なくし、点検作業に要する費用を低減させることができる。
【００３９】
図８は本発明の第２実施形態を示す側面図、図９は本発明の第２実施形態に備えられる作業台の高さ位置を図８に示すものよりも高く保った状態を示す側面図である。
【００４０】
この第２実施形態は、第１実施形態に備えられる支持梁保持手段を構成する支持梁側係合部に代えて、支持梁保持手段としてベース側係合部を設けたものである。このベース側係合部は、図８に示すように、ベース部３の下端部付近に、高さ位置を異ならせるように形成された複数の切り欠き部、例えば第１切り欠き部３１ａ、第２切り欠き部３１ｂ、及び第３切り欠き部３１ｃから成っている。これらの切り欠き部３１ａ〜３１ｃのそれぞれは、昇降路１の壁面とは反対側に位置する部分が開放され、支持体６の第２丸棒６２がそれぞれ挿入可能になっている。支持体６の第１丸棒６１は、支持梁５の両側面に形成した穴５５のそれぞれに挿入され、相対的回動可能に支持梁５に連結させてある。その他の構成は、第１実施形態と同等である。
【００４１】
このように構成した第２実施形態は、支持体６の第２丸棒６２を第１切り欠き部３１ａに係止させることにより、支持梁５及び作業台７を図８に示すように水平位置に保ち、支持梁６の第２丸棒６２を第２切り欠き部３１ｂに係止させることにより、上述の水平位置よりも高い位置に保ち、支持体６の第２丸棒６２を第３切り欠き部３１ｃに係止させることにより、図９に示すようにさらに高い位置に保つことができる。また、収納時には、制御盤２の投影面積内に、ベース部３と、支持梁５と、支持体６を配置させることができ、作業台７は、昇降路１のピット床に載置させることができる。これらにより、この第２実施形態も第１実施形態と同等の作用効果が得られる。
【００４２】
なお、上記第１実施形態及び第２実施形態は、支持梁５及び作業台７を３段階の高さ位置に変更可能にしてあるが、２段階に変更可能に、あるいは４段階以上に変更可能な構成にしてもよい。
【００４３】
また、上記第１実施形態では、支持梁保持手段が支持梁側係合部を含む構成にしてあり、上記第２実施形態では、支持梁保持手段がベース部側係合部を含む構成にしてあるが、本発明は、このように構成することには限られず、支持梁保持手段が、支持梁側係合部とベース部側係合部の双方を共に含む構成にしてもよい。
【符号の説明】
【００４４】
１    昇降路
２    制御盤（昇降路内機器）
３    ベース部
３１  切り欠き部
３１ａ  第１切り欠き部
３１ｂ  第２切り欠き部
３１ｃ  第３切り欠き部
４    支点軸
５    支持梁
５０  軸穴
５１ａ  第１面部
５１ｂ  第２面部
５１ｃ  第３面部
５２ａ  第１ボルト穴
５２ｂ  第２ボルト穴
５２ｃ  第３ボルト穴
５３    長穴
５３ａ  第１係合端部
５３ｂ  第２係合端部
５３ｃ  第３係合端部
５４    切り欠き部
５５    穴
６      支持体
６１    第１丸棒
６２    第２丸棒
７      作業台
７１    フック部
７２ａ  ボルト穴
７２ｂｃ  ボルト穴
８ｂ    第１係止棒
８ｃ    第２係止棒
９      乗かご
【図１】
2013018618.tif 000003
【図２】
2013018618.tif 000004
【図３】
2013018618.tif 000005
【図４】
2013018618.tif 000006
【図５】
2013018618.tif 000007
【図６】
2013018618.tif 000008
【図７】
2013018618.tif 000009
【図８】
2013018618.tif 000010
【図９】
2013018618.tif 000011